(57)【特許請求の範囲】
【請求項１】
ディスプレイからの画像上に少なくとも適合するサイズにされ且つ画像のカラー表現の色調を維持しながら画像からの光の波長を減少及び／又は変更するように構成されたニュートラルデンシティフィルタを含む第１の層と、
ディスプレイからの画像上に少なくとも適合するサイズにされたカラーフィルタを含む第２の層であって、前記カラーフィルタは、画像の光出力の色調がイエロー及び／又はアンバー色を含むようにその光出力を減少するよう構成された第２の層と、
ディスプレイからの画像上に少なくとも適合するサイズにされた第３の層であって、絵画の表面に似たテクスチャをもつコーティングを含む第３の層と、
を備えたディスプレイフィルタリングシステム。
【請求項２】
前記第３の層は、ポリカーボネート樹脂のサーモプラスチックパネルと、該ポリカーボネート樹脂のサーモプラスチックパネル上のアクリル系グレーズとを含む、請求項１に記載のディスプレイフィルタリングシステム。
【請求項３】
前記コーティングは、結晶グレーズ層及びクラックル処置層を含む、請求項１に記載のディスプレイフィルタリングシステム。
【請求項４】
前記ニュートラルデンシティフィルタは、無色フィルタ又はグレイフィルタを含む、請求項１に記載のディスプレイフィルタリングシステム。
【請求項５】
前記第１の層、第２の層及び第３の層は、各層の境界において共通の接合領域を有する、請求項１に記載のディスプレイフィルタリングシステム。
【請求項６】
前記ディスプレイは、前記第１の層、第２の層及び第３の層に結合された、請求項１に記載のディスプレイフィルタリングシステム。
【請求項７】
前記ディスプレイは、高鮮明度フラットディスプレイスクリーンを含む、請求項６に記載のディスプレイフィルタリングシステム。
【請求項８】
前記テクスチャは、筆塗りの見掛けを与える、請求項１に記載のディスプレイフィルタリングシステム。
【請求項９】
画像を処理及び／又は前フィルタリングするように構成されたプロセッサを備えた、請求項１に記載のディスプレイフィルタリングシステム。
【請求項１０】
電子画像を視覚的に変換するための方法において、
ニュートラルデンシティフィルタを含む第１の層を電子画像が通過するようにする段階であって、第１の層を電子画像が通過するようにすることで、電子画像のカラー表現の色調を維持しながら電子画像からの光の波長を減少及び／又は変更する段階と、
カラーフィルタを含む第２の層を電子画像が通過するようにする段階であって、第２の層を電子画像が通過するようにすることで、電子画像の光出力の色調がイエロー及び／又はアンバー色を含むようにその光出力を減少する段階と、
絵画の表面に似たテクスチャをもつコーティングを含む第３の層を電子画像が通過するようにする段階と、
を含む方法。
【請求項１１】
第２の層を電子画像が通過する前記段階は、アンバーフィルタを通して電子画像をフィルタリングすることを含む、請求項１０に記載の方法。
【請求項１２】
高鮮明度フラットスクリーンテレビジョンに電子画像を表示する段階を含む、請求項１０に記載の方法。
【請求項１３】
プロセッサで画像を電子的に処理する段階を含む、請求項１０に記載の方法。
【請求項１４】
電子画像を電子的に処理する前記段階は、電子画像のコントラストを下げ、電子画像のカラーを向上させ、電子画像を拡散し、又は電子画像に筆使い効果を追加することを含む、請求項１３に記載の方法。
【請求項１５】
ビデオストリームを表示する段階を含み、前記電子画像は、ビデオストリームにおける多数の画像の１つである、請求項１０に記載の方法。
【請求項１６】
第１の層を電子画像が通過するようにする前記段階は、無色又はグレイフィルタを電子画像が通過するようにすることを含む、請求項１０に記載の方法。
【請求項１７】
ディスプレイフィルタリングシステムを製造する方法において、
ビデオディスプレイに与えられた画像が第１の層によってフィルタリングされるように第１の層をビデオディスプレイに結合する段階であって、第１の層は、画像のカラー表現の色調を維持しながら画像からの光の波長を減少及び／又は変更するように構成されたニュートラルデンシティフィルタを含むものである段階と、
ビデオディスプレイに与えられた画像が第２の層によってフィルタリングされるように第２の層をビデオディスプレイに結合する段階であって、第２の層は、画像の光出力の色調がイエロー及び／又はアンバー色を含むようにその光出力を減少するよう構成されたカラーフィルタを含むものである段階と、
ビデオディスプレイに与えられた画像が第３の層を通過するように第３の層をビデオディスプレイに結合する段階であって、第３の層は、絵画の表面に似たテクスチャをもつコーティングを含むものである段階と、
を含む方法。
【請求項１８】
前記第１の層を前記ビデオディスプレイに直結し、そして前記第２の層を、前記第２の層と第１の層との間の結合を経て前記ビデオディスプレイに結合する、請求項１７に記載の方法。
【請求項１９】
前記第３の層をビデオディスプレイに結合する段階は、筆塗りの透明なアクリル系グレーズのコーティングを施すことを含む、請求項１７に記載の方法。
【発明の詳細な説明】
【技術分野】
【０００１】
本発明は、ディスプレイスクリーンに電子画像を表示する方法及び装置に関する。より詳細には、本発明は、ディスプレイスクリーン上の電子画像を静的な又は動く芸術品（例えば、油絵）として見えるようにするための方法及び装置に関する。
【０００２】
関連出願への相互参照：本出願は、２０１０年５月４日に出願された米国プロビジョナル特許出願第６１／３３０，９３９号の利益を主張するものであり、この出願は、参考としてここにそのまま援用される。
【背景技術】
【０００３】
デジタルメディアや写真が益々進歩しても、絵画、特に、水彩画、油絵、厚塗り、等は依然として強く要望される。絵画は、写真では典型的に得られない感触を見る者に伝えることができる。しかしながら、写真も、本来の精密さ及び芸術的な内容から望ましいものである。その結果、写真のような画像を絵画として見えるようにする試みがなされている。例えば、アドベシステムズ社によるＰｈｏｔｏｓｈｏｐ（登録商標）は、ユーザが写真をアップロードして幾何学的な線（例えば、筆使いを示唆する線）を追加し、写真がより絵画的に見えるようにすることができる。
【０００４】
しかしながら、Ｐｈｏｔｏｓｈｏｐ（登録商標）のような既存の方法は、ピクセルベースの画像処理に依存し、二次元（２Ｄ）画像を、個人が直接描く自然の画像へと変換する能力に限度がある。より詳細には、従来の方法は、油絵、ペン画、漫画、テンプレートモザイク、等に関連した効果を２Ｄ画像に与えることに関して限度があることが現在認識されている。
【０００５】
示唆される特徴を追加するか、又はユーザのためにそれらの特徴をソフトウェアで追加することにより、ユーザが絵画的特性を写真に追加できるようにする他の製品も開発されている。例えば、メディアチャンス社によるダイナミックオートペインタは、ユーザが写真をアップロードし、芸術家のスタイル（例えば、モネ、ベンソン）を選択し、そしてその選択された芸術家のスタイルを複製するようにソフトウェアで写真にシーンを作成することができる。
【０００６】
米国特許出願第２００９０１５４７６２Ａ１号は、ユーザの入力画像に複数の非ホトリアリスティック変換効果を適用することにより画像変換サービスを提供する画像変換方法であって、ユーザからワイヤード／ワイヤレスネットワークを通して画像変換要求を受け取り、ユーザの環境に基づいてユーザターミナル又はサーバーで画像変換を実行し、そして非ホトリアリスティック画像変換効果が適用された最終画像を生成することを含む画像変換方法について述べている。前記特許出願は、更に、人物を含む入力画像において人物の顔部分に付加的な筆使いを指定するために顔認識を適用し、人物の描写を改善することも述べている。動画を生成するステップにおいて、テンプレートモザイク及び油絵を適用することにより最終画像を生成する手順が動画の形態で記憶される。
【０００７】
上述したシステムは、選択された写真を絵画的画像へと変換しそして電子的フィルタリングのみに集中して望ましい効果を発生するために適度に高度なユーザ介入を要求する。
【０００８】
デジタルメディア（例えば、ビデオ及び／又はピクチャー）を形成する方法及びアプリケーションの進歩に関連して、このメディアを高鮮明度で見るためのハードウェアの大きな進歩が達成されている。実際に、高鮮明度液晶ディスプレイ（ＬＣＤ）テレビジョンのような高鮮明度フラットパネルディスプレイは、ユーザが高鮮明度メディアをスライドショー、等として構成して見ることができるようにする。典型的に、ビデオ及び／又はピクチャーは、高鮮明度画像サーバーからディスプレイへ送られ、レンダリングされ、そして見る人に表示される。
【発明の概要】
【０００９】
本発明の一実施形態によれば、高鮮明度フラットディスプレイスクリーンに表示された電子画像を芸術品として見えるように視覚的に変換するための方法が提供される。この方法は、高鮮明度の電子画像を準備し、コントラストを下げることを含めて電子画像を処理して、電子的に前フィルタリングされた画像を与え、その前フィルタリングされた画像を高鮮明度のフラットディスプレイスクリーンに表示し、そしてその表示された前フィルタリングされた画像を物理的にフィルタリングして、光の放射を減少し、且つある波長の光の通過を向上させることを含む。
【００１０】
本発明の別の実施形態によれば、電子画像が芸術品として見えるように電子画像をレンダリングする積層材料が提供される。この積層材料は、高鮮明度のフラットディスプレイスクリーンに取り付けることができ、そしてこの積層材料は、見ている目への画像の光放射を減少するように構成されたニュートラルデンシティフィルタと、このニュートラルデンシティフィルタにマウントされたアンバーフィルタと、このアンバーフィルタにマウントされ、アクリル系グレーズをもつ透明基板を含む。
【００１１】
本発明の別の実施形態によれば、フィルタ結合体が提供される。このフィルタ結合体は、ニュートラルデンシティフィルタ、アンバーフィルタ、及びアクリル系グレーズをもつ透明基板を含む。更に、フィルタ結合体は、高鮮明度フラットディスプレイスクリーンに取り付けることができ、そして高鮮明度ディスプレイスクリーンの電子画像を絵画として見えるように視覚的に変換するよう構成される。
【００１２】
本開示の他の特徴及び効果は、添付図面を参照した以下の詳細な説明より明らかとなろう。
【図面の簡単な説明】
【００１３】
【図１】本発明の一実施形態により電子画像をレンダリングするための規範的な積層材料を示す分解図である。
【図２】本発明の一実施形態によりスクリーン上に表示された電子画像を芸術品として見えるように視覚的に変換する段階的方法を説明するフローチャートである。
【図３】本発明の一実施形態により変換された電子画像を表示する装置の前面図である。
【発明を実施するための形態】
【００１４】
特に指示のない限り一定の縮尺率でない幾つかの図面を通じて同じ又は対応するコンポーネント及びユニットは同じ参照文字で示されている。
【００１５】
本発明の一実施形態は、ディスプレイ上に発生される（例えば、高鮮明度フラットディスプレイスクリーン上に表示される）電子画像を芸術品として見えるように視覚的に変換する方法を含む。本発明の別の実施形態は、電子画像を芸術品として見えるように視覚的に変換する装置に関する。本発明により与えられる規範的な効果は、客（例えば、テーマパークの客）に新規な経験を提供することである。本発明により与えられる別の規範的な効果は、フレーム内のメディアを自動的にシャフルし（例えば、デジタル写真のスライドショーを与え）、そしてそれらを芸術品（例えば、油絵、化粧漆喰細工、等）として見えるように変換できることである。
【００１６】
添付図面を参照して以下に述べる本発明の特定の構成及び配置は、単なる例示に過ぎない。本発明の精神及び範囲から逸脱せずに、当業者であれば、他の構成及び配置をなし、使用し又は販売することもできよう。例えば、本発明の幾つかの実施形態は、テーマパーク及び待ち行列を参照して説明するが、当業者であれば、本発明の実施形態は、個人の家で具現化され、スタンドアローン製品として販売され、又は劇場で使用されてもよいことが認識されよう。
【００１７】
ここで使用される、単数形で表されそしてワード“ａ”又は“an”が先行する要素又は機能は、特に明確な指示のない限り、複数のそのような要素又は機能を除外するものではない。更に、本発明の「１つの実施形態」を言及するときには、そこに示す特徴も合体する付加的な実施形態の存在を除外するものと解釈されてはならない。
【００１８】
本発明の１つの実施形態は、電子画像（例えば、高鮮明度のテレビジョンに表示された画像）をレンダリングして、その画像が芸術品として見えるようにする装置に関する。この装置は、図１ないし３を参照して説明する高解像度フラットディスプレイスクリーンに取り付けできる積層材料を含む。
【００１９】
図１を参照すれば、本発明の技術により種々のネットワーク装置と通信する積層材料１２０及びディスプレイ装置又はスクリーン１０２を含むシステム１００が示されている。より詳細には、図１は、積層材料１２０及びディスプレイ装置又はスクリーン１０２の分解図であり、ディスプレイ装置１０２及び積層材料１２０は、ディスプレイ装置１２０に表示された電子画像１１６を、芸術品として見えるようにレンダリングするよう構成される。積層材料１２０は、第１の層１０４、第２の層１０６、第３の層１０８及び第４の層１１０を含む。これらの層１０４、１０６、１０８及び１１０は、異なる実施形態において再配置できるフィルタ又はパネル及びコーティング（例えば、グレーズ）の結合体を含む。ここに示す実施形態では、第１の層１０４、第２の層１０６及び第３の層１０８は、フィルタ又はパネルであり、そして第４の層１１０は、１つ以上のコーティングを含む。
【００２０】
この実施形態によれば、異なる形式のディスプレイ又はモニタを使用できるが、ここに示す実施形態では、ディスプレイ装置又はスクリーン１０２は、高鮮明度フラットディスプレイスクリーンテレビジョン（ここでは、“ＨＤＴＶ”とも称される）を含む。ＨＤＴＶ１０２は、１０８０ｐ／１０８０ｉのビデオフォーマットサポート、１９２０ｘ１０８０の実効解像度、２，０７３，６００のピクセル数、１６：９のアスペクト比、６０−２４０Ｈｚのフィールド繰り返し数、１２００：１の画像コントラスト比を有するＬＣＤテレビジョンを含み、そして更に、バックライトも含む。任意の実施形態では、ＬＣＤではなく、プラズマテレビジョンが使用されてもよい。もちろん、当業者であれば、他の形式のＨＤＴＶ（例えば、ＤＬＰ、ＬＥＤ、ＬＣｏＳ、等）が使用されてもよいことが認識されよう。又、必要に応じて、本発明に関連して、７２０ｐのビデオフォーマット（実効解像度１２８０ｘ７２０）が使用されてもよい。
【００２１】
ＨＤＴＶ１０２は、ネットワークラインを表わすライン１１４を経て高鮮明度サーバー１１２へ接続される。この高鮮明度サーバー１１２は、図１に示す規範的な火を吹くドラゴンのような電子画像（例えば、画像１１６）をＨＤＴＶに送信するように構成される。高鮮明度サーバー１１２は、ＨＤＴＶ１０２に表示するための所定の写真又はビデオのセットをユーザが選択できるようにするウェブベースのデジタル写真マネージメントシステム及び／又はビデオマネージメントシステム（例えば、メディアマネージメントシステム）である。又、画像サーバー１１２は、より進歩したアプリケーション、例えば、非常に大きな画像セットのナビゲーション、単一ソースからの種々の画像サイズ及び領域のマネージメント、及びストリーミングメディア（例えば、ビデオ）にも使用される。
【００２２】
高鮮明度サーバー１１２は、画像を処理及びフィルタリングして、コントラストを低下し、所定のカラーを向上させ、そして筆使い効果を追加するように構成できる装置を表わしている。高鮮明度サーバー１１２のような装置により電子画像が処理されフィルタリングされると、電子画像は、電子的にフィルタリングされた画像と称される。例えば、図１に示す実施形態では、ドラゴンの画像１１６は、ＨＤＴＶ１０２に表示するために高鮮明度サーバー１１２により与えられる電子的にフィルタリングされた画像である。又、画像１１６は、層１０４、１０６、１０８及び１１０に関連して詳細に述べる物理的なフィルタンリングも受ける。電子的フィルタリング及び処理は、ガンマ、コントラスト、ビブランス、飽和及び輝度修正で画像をレンダリングすることを含む。別の実施形態では、電子的フィルタは、背景が黒になるようにセットされる。
【００２３】
規範的実施形態において、ＨＤＴＶ１０２は、テーマパークの待ち行列の付近に配置され又は吊るされ、そしてその特定のアトラクションのテーマに対応する画像を表示するように機能する。例えば、ユニバーサルスタジオオーランドのＷｉｚａｒｄｉｎｇ  Ｗｏｒｌｄ  ｏｆ  Ｈａｒｒｙ  Ｐｏｔｔｅｒ（登録商標）では、客が待ち行列にいるか又は城を通って歩き、そして客が見るために望ましい壁に沿ってＨＤＴＶ１０２が配置されている。図１を参照して述べた層１０４、１０６、１０８、１１０を使用して、ＨＤＴＶ１０２に表示される画像は、油絵のような芸術品のように見えるようにされる。この効果は、画像サーバー１１２によって容易にされ、画像サーバー１１２は、物理的フィルタ１２０と協働してスクリーン１０２上の画像１１６を変更し、画像１１６が静止した油絵であるか又はストリーミングメディアにより変化する油絵であるという印象を客がもつようにする。
【００２４】
このため、高鮮明度画像サーバー１１２は、メインプロセッサ１２６に接続され、従って、ハードワイヤードＬＡＮネットワーク（例えば、ライン１１４）又はワイヤレス通信（例えば、Ｗｉ−Ｆｉ、ＢｌｕｅｔｏｏｔｈTM、等）を経てＨＤＴＶ１０２及びメインプロセッサ１２６と通信する。メインプロセッサ１２６は、メインハードウェアシステムコンポーネント（例えば、ハードディスク記憶装置及びネットワーキングコンポーネント）を、データ記憶及びデータ検索のような複数の機能を実行するためのメインソフトウェアコンポーネントと一緒に備えている。メインプロセッサ１２６は、更に、パークネットワーク１２８とも通信し、このネットワークは、例えば、種々の乗物及び／又はアトラクションのような複数のパーク位置に画像又はストリーミングメディアを送信するように機能する。プロセッサ１２６は、パークネットワーク１２８を経て、少なくとも１つの乗物コントロールシステム１３０とも通信する。動作中、プロセッサ１２８は、乗物コントロールシステム１３０からの信号に基づいて画像又はストリーミングメディアを変更し、画像又はメディアが乗物上の客の位置に対応するようになって乗物の望ましい効果を向上させるように構成される。例えば、特定の客の画像が行列における特定の客の位置付近の位置で積層材料１２０を通してＨＤＴＶ１０２に表示される。１つの実施形態では、パークネットワーク１２８は、ワールドワイドウェブを経て通信するためにインターネットへの接続を含む。
【００２５】
上述したように、積層材料１２０は、物理的フィルタ又はパネル（例えば、層１０４、１０６、１０８）及びコーティング（例えば、層１１０）の結合体を含む。更に、積層材料１２０は、ユーザの好みで選択された標準的フレーム１２４の使用によりＨＤＴＶ１０２の付近に固定される。フレーム１２４は、積層材料１２０の各々（例えば、フィルタ又はパネル１０４、１０６、１０８）が融合構成で一緒にサンドイッチされそしてフレーム１２４により支持されるような寸法とされる。フレーム１２４は、規範的実施形態では、ＨＤＴＶ１０２とは独立して、壁基板に直接取り付けるように構成される。１つの実施形態では、フレーム１２４は、ＨＤＴＶ１０２に直接取り付けられる。
【００２６】
第１の層１０４は、ニュートラルデンシティフィルタを含む。例えば、ニュートラルデンシティフィルタは、無色フィルタであるか又はグレイフィルタである。第１の層１０４は、ＨＤＴＶ１０２からの光の全ての波長又はカラーの強度又は放射を等しく減少及び／又は変更する一方、カラー表現の色調を一定に保つように構成される。ニュートラルデンシティフィルタは、規範的な実施形態では、ガムプロダクツ社によって製造されたＧａｍＣｏｌｏｒ（登録商標）ニュートラルデンシティフィルタＮｏ．１５１８  １．２ＮＤを含む。
【００２７】
第２の層１０６は、アンバーフィルタを含む。規範的な実施形態では、アンバーフィルタは、ガムプロダクツ社により製造されたＧａｍＣｏｌｏｒ（登録商標）Ｎｏ．３８５、ライトアンバーを含む。第２の層１０６は、ＨＤＴＶ１０２からの光出力を更に減少し、そして光出力の色調を若干イエロー／アンバー色へ変化させるように構成される。動作中に、第２の層１０６（アンバーフィルタ）は、黄ばみに関連した「年月を経た」見掛けを画像に与える（即ち、画像は、古く見え、従って、高鮮明度のデジタル画像より芸術品らしく見える）。
【００２８】
第３の層１０８は、ポリカーボネート樹脂のサーモプラスチック（例えば、ＳＡＢＩＣイノベーティブプラスチック社の登録商標であるＬＥＸＡＮ）を含む。ポリカーボネート樹脂サーモプラスチックは、透明な樹脂である。更に、規範的な実施形態において、ポリカーボネート樹脂サーモプラスチックは、厚みが少なくとも１／８インチである。又、ポリカーボネート樹脂サーモプラスチック層は、アクリル系グレーズで処置されて、第４の層１１０又は第４の層１１０の一部分を形成する。第４の層１１０のアクリル系グレーズは、アクリル系ポリマー乳剤に懸濁された顔料を含む。アクリル系グレーズは、第１及び第２の層に施される。第１の層は、結晶グレーズを含み、そして第２の層は、クラックル(crackle)処置を含む。規範的実施形態において、クラックル処置は、アジカラー社により製造されたアジ−クラックル(adi-crackle)グレーズを含む。これらの層は、刷毛（例えば、絵筆）で塗布される。これらの層は、一緒に、画像１１６に「筆塗りの／古びた」見掛けを与える一方、本物の油絵のように、画像１１６の上に第４の層１１０により与えられるテクスチャ（例えば、隆起）で周囲光を反射できるようにする。例えば、画像１２２は、本発明の技術により本物の油絵に似せるように火を吹くドラゴンの画像１１６をフィルタリングした結果を表わす。
【００２９】
層１０４、１０６及び１０８は、積層材料１２０を形成するように融合される。この点に関して、積層材料１２０は、熱処理により層１０４、１０６及び１０８の境界において一緒に融合される。又、層１０４、１０６及び１０８は、ＨＤＴＶ１０２の通常の表示縁を隠すようにフレーム１２４に取り付けられる。実際に、図３に示すように、ＨＤＴＶ１０２及び積層材料１２０の上にフレーム３０２が配置され、フレーム３０２がＨＤＴＶ１０２の通常の表示縁を覆うようにする。
【００３０】
図２を参照すれば、高鮮明度フラットディスプレイスクリーン上に表示された電子画像を芸術品として見えるように視覚的に変換する方法を説明する上で良く役立つフローチャートが参照番号２００で一般的に示されている。このフローチャートは、規範的な段階的方法を示すが、当業者であれば、同様の結果を維持しつつ、ステップを再アレンジ又は再順序付けできることが明らかであろう。
【００３１】
高鮮明度の電子画像を準備するステップ２０２は、図１を参照して述べたように、ＨＤＴＶを準備し及び／又はディスプレイに画像を表示することを含む。高鮮明度のフラットディスプレイスクリーンテレビジョンは、電子画像を送信するように構成された高鮮明度サーバーに接続される。
【００３２】
ステップ２０４は、電子画像を電子的に処理することを含む。一実施形態において、これは、コントラストを下げて、前フィルタリングされた画像を形成することを含む。更に、ステップ２０４は、画像を電子的に処理及びフィルタリングし、コントラストを下げ、所定のカラーを向上させ、そして既知の画像変更技術（例えば、Ｐｈｏｔｏｓｈｏｐ（登録商標））を使用して筆使い効果を追加するように、高鮮明度サーバーを構成することを含む。
【００３３】
ステップ２０６は、前フィルタリングされた画像を高鮮明度フラットスクリーンテレビジョンに表示することを含む。これは、コンピュータにコマンドを入力し、コンピュータのメインプロセッサを通して、コマンドを高鮮明度サーバーへ送信することを含む。高鮮明度画像サーバーは、次いで、高鮮明度フラットスクリーンディスプレイに表示するために画像又はメディアをレンダリングする。ユーザからのコマンドに基づいて、プロセッサは、画像又はストリーミングメディアを変更するように構成される。任意であるが、（例えば、パークネットワーク又はインターネットを経て）プロセッサとも通信する乗物コントロールシステムからの信号に基づいて画像が変化してもよい。画像は、デジタル画像でもよいし、任意の実施形態では、ストリーミング画像でもよい。
【００３４】
ステップ２０８は、表示された前フィルタリングされた画像を物理的にフィルタリングして、光の放射を減少し、ある波長の光の通過を向上させることを含む。これは、図１を参照して述べた積層材料を準備し、そしてその積層材料を通して画像がフィルタリングされるようにその積層材料を位置させることを含む。例えば、物理的フィルタ又はパネルとコーティングとの結合体を準備し、これは、ディスプレイ（例えば、ＨＤＴＶ）に取り付けできるように構成される。光の放射を減少するために、ニュートラルデンシティフィルタを準備し、このフィルタは、光の全ての波長又はカラーの強度又は放射を等しく変更する一方、カラー表現の色調を一定に保つように構成される。アンバーフィルタを含む第２の層は、第１の層にマウントされ、そしてイエロー又はアンバーの光を通過させて「年月を経た」見掛けを画像に与えることができるように構成される。第４の層を形成するアクリル系グレーズで処置されたポリカーボネート樹脂のサーモプラスチックを含む第３の層は、アクリル系ポリマー乳剤に懸濁された顔料を含み、画像に「筆塗り」の見掛けを与える一方、本物の油絵で光が一般的に反射されるように、第４の層で周囲光を反射できるようにする。
【００３５】
図３を参照すれば、ピクチャーフレーム３０２内に配置された最終画像１２２を含むシステム３００が示されている。規範的実施形態において、フレーム３０２は、画像の年月を経た見掛けに貢献する。例えば、フレーム３０２は、木製であり、古代からのフレームとして見えるように設計される。フレーム３０２は、この場合も、より年月を経た見掛けを画像に与えるためにフレームの底部又は頂部から低輝度のライトで前方照明することを含む。フレーム３０２は、更に、光の透過を分離するためにフレームの縁においてフレームの内部に固定されたゴム処理ウェザースリップ（図示せず）も含んでもよい。動作中、画像１２２は、傍観者又は見物客の観点から、油絵のような芸術品に見えるが、実際には、高鮮明度サーバーによって発生されてディスプレイ装置（例えば、ＨＤＴＶ１０２）に表示されたフィルタリングされた電子画像又はストリーミングメディアである。
【００３６】
本発明の種々の実施形態の特定の特徴は、ある図面には示されそして他の図面には示されないが、これは、便宜上のことに過ぎない。本発明の原理によれば、ある図面における特徴を別の図面における特徴のいずれか又は全部と組み合わせることができる。又、ここで使用する「含む(including)」「備える(comprising)」「有する(having)」及び「伴う(with)」という語は、広く且つ包括的に解釈されるべきであり、物理的な相互接続に限定されない。更に、ここに開示する実施形態は、考えられる唯一の実施形態と解釈されてはならない。むしろ、その変更及び他の実施形態が、特許請求の範囲内に包含されるものとする。
【符号の説明】
【００３７】
１００：システム
１０２：ディスプレイ装置又はスクリーン（ＨＤＴＶ）
１０４：第１の層
１０６：第２の層
１０８：第３の層
１１０：第４の層
１１２：高鮮明度サーバー
１１６：電子画像
１２０：積層材料
１２２：画像
１２４：フレーム
１２６：メインプロセッサ
１２８：パークネットワーク
１３０：乗物コントロールシステム
３００：システム
３０２：ピクチャーフレーム
【図１】
0005924698.tif 000002
【図２】
0005924698.tif 000003
【図３】
0005924698.tif 000004